(57)【要約】      （修正有）【課題】夜間作業おいて、照明機具と現場を照明する作業員も必要なく円骨に作業ができる、照明付き水平器を提供する。【解決手段】水平器本体１に設けた気泡管２、５、６、の縦断直列に電球、また、発光ダイオード電球７、８、９、設けて、電球の光が気泡管の反対側中心に当たるように設けて、電池ボックス１０を設けた電池の＋電極から電圧調節抵抗１３を通して、回転式切替スイッチ１６を設けた＋電極１５に配線して、正面スイッチツマミ左消灯１７、右に回すと垂直状態１８点灯、また、右に回すと１８が消え水平状態１９点灯、更に右に回すと１９が消え４５°２０点灯、また、左に戻すとスイッチ１６を止めた個所が点灯し、左消灯１７に戻すと全て消灯なるように配線する。本体が電流通す金属等は、各１２をアース本体にアースする、本体が木製、また、プラスチックス等で電流が流れない素材は、各電球の−電極に配線する。【選択図】図１
0003121614.tif 000002
【実用新案登録請求の範囲】
【請求項１】
水平器本体に設けた、垂直状態、水平状態、４５°状態の各、気泡管縦断に右、か左のどちらかの端に直列に電球、また、発光ダイオード電球の光が気泡管反対側の中心に当たるように設けて、電池ボックスを設けた電池の＋電極から電圧調節抵抗を通して、回転式切替スイッチの＋電極に配線して、各、気泡管の電球＋電極接続する、−電極は本体が金属製等の電流通す素材は−極を本体にアースし、また、本体が木製、プラスチックス等の電流の流れない素材は−電極から各，電球の−電極に配線して点灯するようにしたし照明付き水平器。
【請求項２】
水平器本体に設けた回転式切替スイッチは、消灯状態１７、右に回すと垂直状態１８、点灯、また、右に回すと垂直１８が消え、水平状態１９点灯、更に、右に回すと水平１９が消え、４５°状態点灯になり、スイッチを止めた個所が点灯し、また、消灯１７に戻すと全て消えるようにした請求項１記載の照明付き水平器。
【請求項３】
水平器本体の両端設けた、現場作業用照明発光ダイオードライトは電池ボックスから押しボタン式スイッチ１４を通して右、左のライトに配線する、押しボタン式スイッチ１４は左消灯、右に押すと右端点灯、更に右に押すと右端、左端両方点灯なり、また、左に戻すと右端点灯、更に左に戻すと消灯となるようにした、照明機能と水平機能を一体化したことを特徴とする請求項１記載の照明付き水平器。
【考案の詳細な説明】
【技術分野】
【０００１】  本考案は、水平器の気泡管、お及び、両端に発光ダイオード電球を設けた水平器関するものである。
【背景技術】
【０００２】  工事期間の日数が少ない現場は、夕方や、夜間に、水平器、また、勾配器等を仕様する場合に測量士の他に作業員が懐中電灯、また、灯光器等で施工する個所を照らしながら作業をしていた。又、現場内を移動する場合い懐中電灯等が必要であった。
【考案の開示】
【考案が解決しようとする課題】
【０００３】  夜間作業を施工する場合、照明を持つ作業員が必要で経済的負担も大きく、また、今まででの電球は長時間点灯すると、気泡管の温度上がり正確にでないこともある、また、照明を持つ作業員に点灯する個所を、一々指示していた。従って、水平機能と照明機能を一体化することにより、前途の次点を解決しようとするものである。
【特許文献】  特開平１１−１０１６３９  公報
【特許文献】  特開平８−２０１０５７  公報
【課題を解決するための手段】
【０００４】  本考案は、水平器本体の、各気泡管縦断に右、左のどちらかの端に平行に、発光ダイオード電球の光が気泡管の反対側の中心当たるように設ける。本体が金属製等で電流通す素材では電池ボックスの−電極と、各氣泡の電球−電極を本体にアースする、＋電極は電池、ボックスから電圧調節抵抗通して、回転式切替イッチを設けた、スイッチの＋電極に配線して、スイッチの切替より、各電球に電流が流れるように接続しる。スイッチ、左は消灯右に回すと垂直状態点灯、また、右に回すと水平状態点灯、更に右に回すと、４５ド点灯し作業応じてスイッチ回して切替する。また、水平器本体の両端に作業用発光ダイオードライトを設けて、電池＋電極から押しボタン式スイッチを通して右、左のライトに配線を接続して、−電極本体にアースする、スイッチ左は消灯、右に押すと右端点灯、また、右に押すと右端と左端が同時点灯するようして上記問題点を解決している。
【考案の効果】
【０００５】  本考案に係る照明付き水平機は、夜間でも各気泡管の水平位置線良く見える、また、電圧調節抵抗により気泡管の温度上昇を防げる、転式切替スイッチで必要の個所だけを照明できる、水平器本体の両端に現場作業用ライトを設けて照明機具等、照明を持つ作業員も必要なく施工できるようにして経費節約に役立つ。
【考案の実施するための最良の形態】
【０００６】  図２の正面図に示す回転式切替スイッチ１６の左消灯１７、右に回すと垂直状態１８点灯、また、右に回すと１８が消え水平状態１９が点灯、更に右に回すと１９が消え４５°状態２０が点灯になり作業に応じて必要の個所にスイッチを回して切替する。又正面図押しボタン式スイッチ１４は左消灯、右に押すと右端２１点灯、更に右に押すと、右端２１と左端２２の両端のライトが同時に点灯する、また、左に戻すと左端２２が消え右端２１が点灯になる。作業応じてスイッチを切替て施工する。
【実施例】
【０００７】  以下添付図面に従って一実施例を説明する。図１は金属製、また、木製、プラスチッ等適宜素材に、水平機能と、照明機能を一体化形成された本体の斜視図、図２は正面図で回転式切替スイッチ１６にツマミを差込、と押しボタン式スイッチ１４を設た、正面縦断面図、図３は裏カバー２３と電池ボックス、カバー２４を設けた縦断面図、図４は右端カバー２５を設けた断面図、図５は左端カバー２６を設けた断面図、図６は従来水平器斜視図【０００８】図１の１は本体、２は水平状態気泡管、３は気泡、４は気泡水平位置線、５は垂直状態気泡管、６は４５°状態気泡管、７、８、９、は発光ダイオード電球、１０は電池ボックス１１は＋電極、１２は−電極、１３は電圧調節抵抗、１４は作業ライトスイッチ、１５はスイッチ＋電極、１６は回転式切替スイッチ、１７は消灯、１８は垂直点灯、１９は水平点灯、２０は４５°点灯となる。【０００９】  本考案係る現場作業用発光ダイオードライトの押しボタン式スイッチ１４、右端ライト２１、左端ライト２２、裏面カバー２３、電池ボックスカバ２４、右端カバー２５左端カバーとなる。【００１０】  本考案は上述如き構成からなるものであるから水平器としても、夜間作業の照明機具として使用でき、また、回転式切替スイッチ１６と押しボタン式スイッチ１４の切替より電池と労務費の節約ができる。
【図面の簡単な説明】
【００１１】
【図１】  本考案の照明機能と水平機能を一体化した本体を示す縦断斜視図である。
【図２】  気泡管に電球を設けたことを示す標凖縦断面図である。
【図３】  気泡管に電球を設けたことを示す標準断面図である。
【図４】  本体正面を示す縦断面図である。
【図５】  本体裏面カバーを設けたことを示す縦断面図である。
【図６】  右端を示す断面図である。
【図７】  左端を示す断面図である。
【図８】  従来の水平器を示す斜視図である。
【符合の説明】
１  水平器本体
２  水平気泡管
３  気泡
４  気泡水平位置線
５  垂直気泡管
６  ４５°気泡管
７  垂直部発光ダイオード
８  水平部発光ダイオード電球
９  ４５°部発光ダイオード電球
１０  電池ホックス、電池
１１  ＋電極
１２  −電極
１３  電圧調節抵抗
１４  押しボタン式スイッチ
１５  回転式切替スイッチ＋極
１６  回転式切替スイッチ
１７  消灯
１８  垂直点灯
１９  水平点灯
２０  ４５°点灯
２１  右端発光ダイオードライト
２２  左端発光ダイオードライト
２３  裏面カバー
２４  電池ボックスカバー
２５  右端カバー
２６  左端カバー
Ａ  水平器本体
Ｂ  本体素材Ｈ鋼
Ｃ  水平気泡管
Ｄ  垂直気泡管
Ｅ  ４５°気泡管
【図１】
0003121614.tif 000003
【図２】
0003121614.tif 000004
【図３】
0003121614.tif 000005
【図４】
0003121614.tif 000006
【図５】
0003121614.tif 000007
【図６】
0003121614.tif 000008
【図７】
0003121614.tif 000009
【図８】
0003121614.tif 000010